(57)【特許請求の範囲】
【請求項１】
インクを吐出し印刷を行う記録装置の印刷位置に被印刷物を位置決めするための印刷位置決め部材と、
上記印刷位置決め部材により位置決めされた印刷位置相当部分に上記被印刷物を配置するための被印刷物配置部材と、
を有し、
前記被印刷物配置部材には突起部と凹部を有する固定部を設けていることを特徴とする印刷補助具。
【請求項２】
上記印刷位置決め部材が可撓性を有する基材で形成されていることを特徴とする請求項１に記載の印刷補助具。
【請求項３】
上記印刷位置決め部材には、印刷方向を示す印刷方向指示部が設けられていることを特徴とする請求項１に記載の印刷補助具。
【請求項４】
上記印刷方向指示部が矢印又は／及び切り欠きによって形成されていることを特徴とする請求項３に記載の印刷補助具。
【請求項５】
上記被印刷物が時計の文字盤を形成しており、この時計の文字盤には取付け用のピンが設けられており、また、上記被印刷物載置部材には、このピンを受容するピン用の穴部が形成されていることを特徴とする請求項１乃至請求項４のいずれかに記載の印刷補助具。
【請求項６】
上記被印刷物配置部材には、上記被印刷物を固定するための固定部が設けられていることを特徴とする請求項１乃至請求項５のいずれかに記載の印刷補助具。
【請求項７】
上記被印刷物配置部材には、上記記録装置から吐出したインクを溜めるインク溜まり部が設けられていることを特徴とする請求項１乃至請求項６のいずれかに記載の印刷補助具。
【請求項８】
上記被印刷物配置部材には、上記記録装置から吐出したインクを吸収する部材が形成されていることを特徴とする請求項１乃至請求項７のいずれかに記載の印刷補助具。
【請求項９】
上記被印刷物配置部材には、上記被印刷物を脱着するための脱着用凹部が設けられていることを特徴とする請求項１乃至請求項８のいずれかに記載の印刷補助具。
【請求項１０】
インクを吐出し印刷を行う記録装置に使用する印刷補助具の組み立て治具であって、
印刷位置決め部材を収容する収容部と、
この印刷位置決め部材を必要な大きさに加工するための加工部と、
この印刷位置決め部材の所定の位置に、被印刷物を配置する被印刷物配置部材を取り付けるための取り付け用開口部と、を有する印刷補助具の組み立て治具。
【請求項１１】
上記取り付け用開口部には、上記被印刷物配置部材を保持するための保持具に対応し、上記印刷位置決め部材上に、この被印刷物配置部材を設置するための設置用凹部が設けられていることを特徴とする請求項１０に記載の印刷補助具の組み立て治具。
【請求項１２】
インクを吐出し印刷を行う記録装置本体と、
この記録装置本体内の印刷位置まで対象物を引き込む搬送部と、
この対象物を上記記録装置本体から排出するための排出部とを有する記録装置において、
上記対象物が、上記記録装置本体内の印刷位置に被印刷物を位置決めするための印刷位置決め部材と、
上記印刷位置決め部材により位置決めされた印刷位置相当部分に上記被印刷物を配置するための被印刷物配置部材と、を有する印刷補助具であることを特徴とする記録装置。
【発明の詳細な説明】
【０００１】
【発明の属する技術分野】
本発明は、被印刷物に記録装置で印刷する際に、用いられる印刷補助具及びその組み立て治具並びに、この印刷補助具を有する記録装置に関するものである。
【０００２】
【従来の技術】
従来、プリンタ装置、特に個人が自宅等で私的に使用する、所謂パーソナルユースのプリンタ装置は例えば、図１２に示すようになっている。
【０００３】
すなわち、プリンタ装置１は、プリンタ本体１ｂとこれに接続されて設けられている被印刷物である例えば紙等を載置する載置台１ａ等を有している。
【０００４】
そして、使用者が紙に文字等を印刷しようとする場合は、この載置台１ａに紙を載置し、プリンタ本体１ｂの前面に設けられている操作部等を操作して印刷を開始することになる。
【０００５】
プリンタ装置１の印刷が開始されると、載置台１ａに載置されている紙はプリンタ本体１ｂ内に設けられている搬送用ローラ（図示せず）によりプリンタ本体１ｂ内に導かれることになる。
【０００６】
このとき載置台１ａとプリンタ本体１ｂ内との接続部には、図１２に示すような角度が設けられている。これは、載置台１ａに載置された紙がその自重で、プリンタ本体１ｂの搬送用ローラに近接する方向に位置決めされるため、プリンタ本体１ｂの搬送用ローラがこの紙を掴み易くするためである。
【０００７】
したがって、載置台１ａに載置されている紙が、プリンタ本体１ｂの搬送用ローラによりプリンタ本体１ｂ内に導かれる際には、紙は曲折した状態となる。
【０００８】
このようにして、プリンタ本体１ｂの内部に導かれた紙は、この搬送用ローラによって印刷位置まで導かれることになる。この印刷位置には、プリンタヘッド（図示せず）が設けられているため、このプリンタヘッドに備えられているインクをノズルから吐出することにより、紙に文字等を印刷することができるようになっている。
【０００９】
このように印刷された紙は、プリンタ本体１ｂ内に設けられている排出ローラ（図示せず）によって、排出台１ｃ方向に排出され、排出台１ｃに載置されて、止まることになる。この状態で、使用者が印刷された紙を排出台１ｃから受け取ることになる。
【００１０】
【発明が解決しようとする課題】
ところで、以上のようなプリンタ装置１にあっては、紙以外のもの、例えば時計の文字盤等の比較的小さく且つ硬く、そして厚みがあるもの等に印刷することはできなかった。
【００１１】
本発明は、以上の点に鑑み、プリンタ装置のような記録装置で、様々な種類の被印刷物に印刷をすることを可能にする印刷補助具及びその組み立て治具並びにこの印刷補助具を有するプリンタ装置を提供することを目的としている。
【００１２】
【課題を解決するための手段】
上記目的は、本発明によれば、インクを吐出し印刷を行う記録装置の印刷位置に被印刷物を位置決めするための印刷位置決め部材と、上記印刷位置決め部材により位置決めされた印刷位置相当部分に上記被印刷物を配置するための被印刷物配置部材と、を有し、前記被印刷物配置部材には突起部と凹部を有する固定部を設けている印刷補助具により、達成される。
【００１３】
この構成によれば、記録装置の印刷位置に被印刷物を位置決めするための印刷位置決め部材と、上記印刷位置決め部材により位置決めされた印刷位置相当部分に上記被印刷物を配置するための被印刷物配置部材とを有するため、この被印刷物を上記被印刷物配置部材に載置させれば、上記印刷位置決め部材により、この被印刷物を印刷位置に位置決めすることになる。
【００１４】
したがって、上記被印刷物の大きさ等を問わず、精度よく印刷することができる。
【００１５】
本発明は、上記印刷位置決め部材が可撓性を有する基材で形成されている印刷補助具である。
【００１６】
この構成によれば、上記印刷位置決め部材が可撓性を有する基材で形成されているため、この可撓性を有する基材が記録装置の案内部に曲折しながら案内される。
【００１７】
したがって、被印刷物が硬く曲折しないものであっても、この被印刷物の代わりに上記可撓性を有する基材が曲折して、記録装置内に正確に案内されることになる。
【００１８】
本発明は、上記印刷位置決め部材には、印刷方向を示す印刷方向指示部が設けられている印刷補助具である。
【００１９】
この構成によれば、上記印刷位置決め部には、印刷方向を示す印刷方向指示部が設けられているので、使用者が被印刷物の印刷方向を間違えることがない。
【００２０】
本発明は、上記印刷方向指示部が矢印又は／及び切り欠きによって形成されている印刷補助具である。
【００２１】
この構成によれば、上記印刷方向指示部が矢印又は／及び切り欠きによって形成されているので、使用者が上記矢印又は／及び切り欠きを確認することで、上記被印刷物の印刷方向を間違えることがない。
【００２２】
本発明は、上記被印刷物が時計の文字盤を形成しており、この時計の文字盤には取付け用のピンが設けられており、また、上記被印刷物載置部材には、このピンを受容するピン用の穴部が形成されている印刷補助具である。
【００２３】
この構成によれば、上記被印刷物が時計の文字盤を形成しており、この時計の文字盤には取付け用のピンが設けられており、また、上記被印刷物載置部材には、このピンを受容するピン用の穴部が形成されているので、上記被印刷物である時計の文字盤の取付け用のピンを、上記被印刷物配置部材に配置することができる。
【００２４】
本発明は、上記被印刷物配置部材には、上記被印刷物を固定するための固定部が設けられている印刷補助具である。
【００２５】
この構成によれば、上記被印刷物配置部材には、上記被印刷物を固定するための固定部が設けられているので、上記被印刷物が上記被印刷物配置部材の上で位置がズレたり、この被印刷物配置部材から外れたりすることがない。
【００２６】
本発明は、上記被印刷物配置部材には、上記記録装置から吐出したインクを溜めるインク溜まり部が設けられている印刷補助具である。
【００２７】
この構成によれば、上記被印刷物配置部材には、上記記録装置のインクを溜めるインク溜まり部が設けられているので、上記被印刷物の印刷の際に、不用なインクがこのインク溜まり部に溜まることになる。したがって、上記被印刷物の印刷の精度が高くなる。
【００２８】
本発明は、上記被印刷物配置部材には、上記記録装置から吐出したインクを吸収する部材が形成されている印刷補助具である。
【００２９】
この構成によれば、上記被印刷物配置部材には、上記記録装置から吐出したインクを吸収する部材が形成されているので、上記被印刷物の印刷の際に、不用なインクがこのインクを吸収する部材に吸収されることになる。したがって、上記被印刷物の印刷の精度がより高くなる。
【００３０】
本発明は、上記被印刷物配置部材には、上記被印刷物を脱着するための脱着用凹部が設けられている印刷補助具である。
【００３１】
この構成によれば、上記被印刷物配置部材には、上記被印刷物を脱着するための脱着用凹部が設けられているので、使用者が、この脱着用凹部を用いて、容易に上記被印刷物を脱着することができる。
【００３２】
上記目的は、本発明の構成によれば、インクを吐出し印刷を行う記録装置に使用する印刷補助具の組み立て治具であって、印刷位置決め部材を収容する収容部と、この印刷位置決め部材を必要な大きさに加工するための加工部と、この印刷位置決め部材の所定の位置に、被印刷物を配置する被印刷物配置部材を取り付けるための取り付け用開口部と、を有する印刷補助具の組み立て治具により、達成される。
【００３３】
この構成によれば、上記印刷位置決め部材を上記収容部に収容し、上記加工部で、この印刷位置決め部材を必要な大きさに加工できる。また、使用者が、上記取り付け用開口部を用いることにより、上記被印刷物配置部材を、この印刷位置決め部材に精度良く取り付けることができる。
【００３４】
本発明は、上記取り付け用開口部には、上記被印刷物配置部材を保持するための保持具に対応し、上記印刷位置決め部材上に、この被印刷物配置部材を設置するための設置用凹部が設けられている印刷補助具の組み立て治具である。
【００３５】
この構成によれば、上記取り付け用開口部には、上記被印刷物配置部材を保持するための上記保持具に対応し、上記印刷位置決め部材上に、この被印刷物配置部材を設置するための設置用凹部が設けられているので、使用者がこの設置用凹部を用いることにより、容易に上記被印刷物配置部材を上記印刷位置決め部材に設置することができる。
【００３６】
上記目的は、本発明の構成によれば、インクを吐出し印刷を行う記録装置本体と、この記録装置本体内の印刷位置まで対象物を引き込む搬送部と、この対象物を上記記録装置本体から排出するための排出部とを有する記録装置において、上記対象物が、上記記録装置本体内の印刷位置に被印刷物を位置決めするための印刷位置決め部材と、上記印刷位置決め部材により位置決めされた印刷位置相当部分に上記被印刷物を配置するための被印刷物配置部材と、を有する印刷補助具であることを特徴とする記録装置により、達成される。
【００３７】
この構成によれば、上記対象物が、上記記録本体内の印刷位置に被印刷物を位置決めするための印刷位置決め部材と、上記印刷位置決め部材により位置決めされた印刷位置相当部分に上記被印刷物を配置するための被印刷物配置部材と、を有する印刷補助具である。したがって、この被印刷物を上記被印刷物配置部材に載置させれば、上記印刷位置決め部材により、この被印刷物を印刷位置に位置決めすることになる。このため、上記被印刷物の大きさ等を問わず、精度よく位置決めした状態で、印刷することができる。
【００３８】
【発明の実施の形態】
以下、この発明の好適な実施形態を図１乃至図１１を参照しながら、詳細に説明する。
【００３９】
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００４０】
図１は本実施の形態に係る印刷補助具である文字盤作成用治具２０と記録装置としてのプリンタ本体である文字盤印刷機本体１１を有するプリンタ装置である文字盤印刷機１０を示す図である。
【００４１】
図１に示すように文字盤作成用治具２０には、被印刷物である例えば時計の文字盤３０を配置するための被印刷物配置部材である例えばパレット２１と、このパレット２１と所定の位置に備える可撓膜であるフィルム２２とを有している。
【００４２】
また、文字盤印刷機本体１１には、先ず、使用者が、この文字盤作成用治具２０を配置するための搬送部であるＡＳＦ（オートシードフィーダ）部１２が設けられている。
【００４３】
このＡＳＦ部１２は、具体的には図２に示すように構成されている。図２は、図１に示すＡＳＦ部１２の概略平面図である。すなわち、ＡＳＦ部１２は、使用者が文字盤作成用治具２０を配置し易くするために設けられた搬送サポート部１２ｃと、文字盤作成用治具２０をＡＳＦ部１２に置く際に両側の位置合わせを行うための２つのガイド１２ａ、１２ｂとを有している。
【００４４】
また、ＡＳＦ部１２には、これらのガイド１２ａ，１２ｂで位置合わせを行った文字盤作成用治具２０を文字盤印刷機本体１１の内部に送り込むための２つのローラ１２ｄ、１２ｄと２つのガイド１２ｅ、１２ｅを有している。このガイド１２ｅ、１２ｅは、文字盤作成用治具２０が文字盤印刷機本体１１の内部に正確に送られるための案内部の役割を果たすものである。なお、このガイド１２ｅ、１２ｅの長さは上から見て例えば１０５ｍｍ程度に形成される。
【００４５】
ところで、上記文字盤印刷機本体１１の搬送サポート部１２ｃを除く大きさは、図１に示すように例えば縦１９９ｍｍ、横４６７ｍｍ奥往き２９６ｍｍ程度となっている。これは家庭で個人が私的な目的に使う所謂パーソナルユースタイプのプリンタの大きさである。
【００４６】
そして、この文字盤印刷機本体１１の内部は、図３に示すように構成されている。図３は、図１の文字盤印刷機本体１１の中央縦断面図である。
【００４７】
図３に示す破線の矢印は、文字盤印刷機本体１１内を文字盤作成用治具２０が移動する経路を示したものである。また、図３に示すように、文字盤印刷機本体１１には、ＡＳＦ部１２から送られてくる文字盤作成用治具２０を受け取り、搬送ローラ１６に接続させるための後部プラテン１４が設けられている。  また、この後部プラテン１４から文字盤作成用治具２０を受け取り、印刷位置である前部プラテン１４ａへ送るための搬送ローラ１６、送り押さえローラ１５及び駆動ギヤ１７等が設けられている。この搬送ローラ１６と送り押さえローラ１５によって文字盤作成用治具２０を上下より押さえることで、精密に文字盤作成用治具２０を前部プラテン１４ａに送ることができる。
【００４８】
この前部プラテン１４ａの上部にはプリンタヘッド１９が配置されており、このプリンタヘッド１９のノズルから顔料等のインクが吐出され、文字盤作成用治具２０上の時計の文字盤３０に印刷を行うことになる。
【００４９】
このプリンタヘッド１９は図３に示すＣＲ軸１９ａによって移動可能に支持されている。
【００５０】
印刷が終了した時計の文字盤３０を有する文字盤作成用治具２０は、図３に示す排出部であるギザローラ１８及び排出ローラ１８ａにより保持されて、文字盤印刷機本体１１から排出されることになる。
【００５１】
一方、文字盤作成治具２０は、例えば図４に示すように構成されている。図４に示すように、印刷位置決め部材である例えば、フィルム２２は、曲折可能な専用光沢フィルムを例えば縦２１０ｍｍ、横１８５ｍｍに加工したものであり、重さは例えば６．８５ｇ程度である。また。フィルム２２としては、専用光沢フィルム以外にフォト・プリント紙２（ＥＰＳＯＮ（登録商標）社製）、フォト・クオリティカード２（ＥＰＳＯＮ（登録商標）社製）、専用ＯＨＰシート（ＥＰＳＯＮ（登録商標）社製）、スーパーファイン専用紙（ＥＰＳＯＮ（登録商標）社製）、専用上質普通紙（ＥＰＳＯＮ（登録商標）社製）及び、もはん図等であっても良いが、耐環境性、耐磨耗性、紙送り精度が維持できれば、材質等は何でも構わない。
【００５２】
また、このフィルム２２には、図４に示すように、印刷方向を示すための矢印が３本表されている。また、図において右下には、印刷の際の後端部を示す切り欠き２２ａが設けられている。このため、上記３本の矢印と切り欠き２２ａによって使用者は印刷方向を間違えることがない。
【００５３】
このようなフィルム２２の上には被印刷物配置部材であるパレット２１が設けられている。このパレット２１は、例えばアルミニウム製で、例えば縦４８ｍｍ、横３９ｍｍの大きさに形成され、重さは例えば７．１９ｇ程度である。また、このパレット２１は、具体的には、図５に示すようになっている。
【００５４】
図５に示すように、パレット２１には、被印刷物である時計の文字盤３０を載置するための四角形のワーク載置部２１ａが形成されている。また、このワーク載置部２１ａには、図において左上と右下に固定部であるワーク固定部２３が２つ設けられている。このワーク固定部２３、２３はその中央に突起部２３ａがそれぞれ設けられており、その周囲には深さ０．３ｍｍの凹部２３ｂが設けられている。この突起部２３ａと凹部２３ｂに対応するするように時計の文字盤３０にも、凹凸部３１（図６参照）が設けられている。したがって、印刷しようとする時計の文字盤３０のこの凹凸３１、３１を上記ワーク固定部２３の突起部２３ａ、凹部２３ｂに嵌合することにより、時計の文字盤３０はパレット２１に固定されることになる。
【００５５】
この場合において、時計の文字盤３０の固定が不十分な場合は、図５のパレット２１の上下端部に設けられている固定部である固定用側縁２４、２４を使用する。
【００５６】
ところで、時計の文字盤３０は、図６に示すように、その中央部には、時計に組み込まれる文字盤本体３２が配置され、その周縁部には、プレス抜きされた溝３３が設けられている。そして、その外側には文字盤本体３２を支える四角形の枠部３４が配置されている。
【００５７】
この文字盤本体３２に印刷を行う場合は、この枠部３４が付いている状態で印刷し、印刷が完了した後、この枠部３４を外して、時計に取り付けることになる。
【００５８】
したがって、文字盤印刷機１０で印刷するときは、この枠部３４が付いている時計の文字盤３０を、図５に示すパレット２１のワーク載置部２１ａに載置することになる。
【００５９】
このため、この時計の文字盤３０の枠部３４の図において上下の端部が図５の破線部分に置かれることになる。そして、この状態で、この枠部３４、３４と図５のパレット２１の上下端部に設けられている固定部である固定用側縁２４、２４とを例えば粘着性のテープ等で固定することで、より、強固に時計の文字盤３０をパレット２１に固定することができる。
【００６０】
また、上記パレット２１には、図５に示すようにピン用の穴部２１ｃが２つ設けられている。このピン用の穴部２１ｃ、２１ｃは、図６に示す時計の文字盤３０の裏面にある取付け用のピンに対応して設けられてている。この取付け用のピンは、１．３ｍｍ乃至１．６ｍｍの高さがあるため、ピン用の穴部２１ｃ、２１ｃは、この高さの取付け用のピンを収容できるように形成されている。また、この取付け用のピンを収容するため、パレット２１の厚さも１．７ｍｍ程度となっている。
【００６１】
ところで、上記パレット２１のワーク載置部２１ａの中央部には、直径３ｍｍ深さ０．３ｍｍのインク溜まり部２１ｂが設けられている。また、その外周部には、ドーナツ状に深さ０．３ｍｍのインク溜まり部２１ｂが設けられている。
【００６２】
これらのインク溜まり部２１ｂ，２１ｂは、以下の理由により設けられているものである。すなわち、図６に示すように、時計の文字盤３０は、文字盤本体３２中心部に時針等の軸を通すための円形の穴３５が設けられている。また、上述のようにプレス抜きされた溝３３も設けらている。このため、文字盤印刷機１０で印刷した際、インクがこの穴３５や溝３３から漏れて、時計の文字盤３０とパレット２１の間に入り込んでしまうおそれがある。
【００６３】
このようなインク漏れを防ぐため、インクが漏れるおそれがある穴３５及び溝３３に対応するパレット２１の部分にインク溜まり部２１ｂを設けたものである。
【００６４】
この場合において、時計の文字盤３０とパレット２１も間に、インクを吸収する部材である例えば吸収シートを配置した場合は、この漏れたインクを、吸収シートが吸収するため、より効果的にインク漏れを防止することができる。
【００６５】
また、上記パレット２１には、図５に示すように、その両側に脱着用の凹部２１ｄが２つ設けられている。この脱着用凹部２１ｄ，２１ｄは、使用者が時計の文字盤３０をパレット２１に対して脱着する際の、指掛かり部として作用するものである。したがって、この脱着用凹部２１ｄ，２１ｄは、深さ０．５ｍｍ、幅１４ｍｍで形成されている。すなわち、使用者の指の幅等を考慮した幅となっている。
【００６６】
パレット２１は、以上のように構成され、その上には上述のように時計の文字盤３０が載置され固定されることになる。
【００６７】
以上のように本実施の形態にかかる文字盤印刷機１０は、構成されているが、以下にこの文字盤印刷機１０の動作等を説明する。また、この動作等を説明しつつ、文字盤作成用治具２０のパレット２１とフィルム２２との位置関係についても説明する。
【００６８】
先ず、使用者は、時計の文字盤３０に所定の模様等を印刷するため、この時計の文字盤３０を、文字盤作成用治具２０のパレット２１に載置し、上述のように固定する。その後、この文字盤作成用治具２０を文字盤印刷機１０のＡＳＦ部１２にセットする。この状態を示したのが、図７である。
【００６９】
次に、使用者が文字盤印刷機１０のスイッチを入れ、ＡＳＦ部１２により文字盤作成用治具２０が、ＡＳＦ部１２のローラ１２ｄにより文字盤印刷機本体１１の内部に導かれる。この状態を示すのが図８である。
【００７０】
図８において、文字盤印刷機本体１１の内部に導かれる際、ＡＳＦ部１２のローラ１２ｄ，１２ｄは、両側にあるため文字盤作成用治具２０の中央部に配置されているパレット２１にローラ１２ｄ、１２ｄが当接等することがない。
【００７１】
すなわち、図４に示すようにパレット２１は、文字盤作成用治具２０の進行方向において中心部に配置され、この位置にパレット２１が配置されているため、このパレット２１を避けるようにＡＳＦ部１２のローラ１２ｄ、１２ｄが設けられている（図２参照）。このため、ＡＳＦ部１２のローラ１２ｄ、１２ｄは、図４のフィルム２２のみに当接することになる。
【００７２】
また、図８において文字盤作成治具２０のフィルム２２は曲折しているが、このフィルム２２上に載置されているパレット２１及び時計の文字盤３０は、曲がることなく、文字盤印刷機本体１１の内部に導かれることになる。
【００７３】
ところで、図８では、文字盤作成治具２０の一部が搬送ローラ１６及び送り押さえローラ１５に達している。
【００７４】
その後、文字盤作成治具２０が搬送ローラ１６及び送り押さえローラ１５によってさらに引き込まれ、印刷開始位置に達することになる。この状態を示したのが図９である。図９に示すように、文字盤作成治具２０の先端部は、ギザローラ１８及び排出ローラ１８ａに達しており、その中央部は、前部プラテン１４ａ、送り押さえローラ１５及び搬送ローラ１６により支持されている。さらに、その後端部は、ＡＳＦ部１２を通過し、後部プラテン１４によって支持されている。このように、文字盤作成治具２０が文字盤印刷機本体１１の内部において略水平に配置されることが重要となる。すなわち、この文字盤作成治具２０の後端部がＡＳＦ部１２に一部残っている場合は、文字盤作成治具２０と文字盤印刷機１０のプリンタヘッド１９との間に角度が生じ、この角度は同時にパレット２１及び時計の文字盤３０とプリンタヘッド１９との間においても生じるため、正確な印刷ができなくなるからである。
【００７５】
したがって、図９に示す位置に文字盤作成治具２０が位置した状態におけるパレット２１とフィルム２２の位置関係を調整しておくことが必要となる。
【００７６】
図４に示すように、パレット２１上の印刷開始からフィルム２２の右端部までは、４９．２５ｍｍとなっている。これは、フィルム２２の右端部が、ＡＳＦ部１２を通過し、後部プラテン１４に達した際に、印刷が開始されるようにするためである。すなわち、図３に示すように後部プラテン１４の図において右端から前部プラテン１４ａの印刷位置までが５０ｍｍとなっていることによるものである。
【００７７】
また、図９に示すように、印刷開始時において、文字盤作成治具２０が排出ローラ１８ａに達していること、ＡＳＦ部１２の高さ及び操作性等を考慮し、図４に示すように、フィルム２２の左端部とパレット２１の左端部との長さを１３０ｍｍとした。
【００７８】
ところで、文字盤作成治具２０が印刷位置にセットされると、上述のように文字盤印刷機１０のプリンタヘッド１９によりインクが吐出され、所定の模様等の印刷が開始される。そして、文字盤作成治具２０が移動して、図４に示す印刷終了位置までプリンタヘッド１９による印刷が続けられる。
【００７９】
このとき、インクが時計の文字盤３０の溝３３等から漏れても、上述のようにパレット２１のインク溜まり部２１ｂ、２１ｂに溜まるため、時計の文字盤３０とパレット２１の間にインクが入り込むことはない。
【００８０】
続いて印刷が終了すると、図１０に示すように、文字盤作成治具２０は、排出ローラ１８ａ等により、排出方向に移動させられる。このときの状態を示すのが図１０である。この印刷終了時においてもこの文字盤作成用治具２０が搬送ローラ１６と排出ローラ１８ａに当接していることが必要となる。そのため図４に示すようにパレット２１の印刷終了位置とフィルム２２の間の長さは２１．７５ｍｍとなっている。これは、図３に示すように、印刷位置と搬送ローラ１６の長さが１４ｍｍとなっているからである。
【００８１】
以上のように本実施の形態に係る文字盤印刷機１０は動作等することで、紙と異なり、比較的小さく、且つ硬いと共に厚みもある、例えば時計の文字盤３０であっても、特別の印刷機を準備することなく、文字盤作成用治具２０を準備するだけで印刷が可能となる。したがって、時計小売店や個人が、通常のプリンタ装置と、文字盤作成用治具２０とを準備するだけで、容易に時計の文字盤３０に自分の好きな模様等を表すことができるようになる。
【００８２】
ところで、本実施の形態に係る文字盤印刷機１０に用いた文字盤作成用治具２０は、以下のように組み立てられる。
【００８３】
すなわち、この文字盤作成用治具２０を形成するパレット２１とフィルム２２との位置関係等は、上述のように極めて細かく規定されるため、簡単な構成で、容易に、これらの位置関係を設定できるように図１１に示すように印刷補助具の組み立て治具である文字盤作成用治具の組み立て治具４０が設けられている。
【００８４】
図１１に示すように、本実施の形態に係る文字盤作成用治具の組み立て治具４０は、印刷位置決め部材であるフィルム２２を収容するための収容部であるフィルム収容部４１と、上記フィルム２２の上から乗せる第１の蓋部４２と第２の蓋部４３とを有している。また、第１の蓋部４２と第２の蓋部４３との間には、加工部である切断部４４が設けられている。なお、この第２の蓋部４３により形成される部分は、図４に示すフィルム２２の大きさである縦２１０ｍｍ、横１８５ｍｍとなっている。
【００８５】
さらに、この第２の蓋部４３には、取付け用開口部であるパレット挿入孔４５が設けられている。また、このパレット挿入孔４５には、図示しないパレット２１を保持する保持具が、このパレット２１を保持した状態で、フィルム２２上にセットすることができるように設置用凹部４５ａ、４５ａが設けられている。
【００８６】
本実施の形態に係る文字盤作成用治具の組み立て治具４０は、以上のように構成されるが以下、その使用方法について説明する。
【００８７】
先ず、使用者は、フィルム２２を、フィルム収容部４１内に収容する。その後、第１の蓋部４２と第２の蓋部４３をこのフィルム２２の上に載置する。さらに、パレット２１に例えばスプレーのり等の接着剤を塗布し、パレット２１をつまんで指を設置用凹部４５ａ、４５ａに入れながら、パレット２１をパレット挿入孔４５から中に挿入する。そして、パレット２１をフィルム２２に当接させる。これにより、パレット２１が、接着剤によりフィルム２２に接着されることになる。その後、切断部４４によりフィルム２２を切断することにより、図４に示す文字盤作成用治具２０が組み立てられることになる。
【００８８】
このとき、パレット挿入孔４５は、正確に図４に示す位置にパレット２１が載置されるように位置決めされているため、組み立てられた文字盤作成用治具２０のパレット２１とフィルム２２の位置は、図４に示された通りとなる。これは、複数個、文字盤作成用治具２０を組み立てた場合でも同様である。
【００８９】
したがって、この文字盤作成用治具の組み立て治具４０を用いれば、容易に最適な位置にパレット２１が設けられている文字盤作成用治具２０を組み立てることができる。
【００９０】
なお、本実施の形態では、被印刷物として時計の文字盤を用いたが、これに限らず他の立体物、例えばカード、ネームバッチ、ピンバッチ、ペンダント、ロケット、ブローチ、ボタン及びメダル等に適用できることは明らかである。
【００９１】
【発明の効果】
以上述べたように、本発明によれば、プリンタ装置で、様々な種類の被印刷物に印刷をすることを可能にする印刷補助具及びその組み立て治具並びにこの印刷補助具を有するプリンタ装置を提供することができる。
【図面の簡単な説明】
【図１】本発明の実施の形態に係る文字盤印刷機の構成を示す概略斜視図である。
【図２】図１のＡＳＦ部を示す概略平面図である。
【図３】図１の文字盤印刷機本体を示す概略中央縦断面図である。
【図４】図１の文字盤作成用治具を示す概略平面図である。
【図５】図４のパレット２１を示す概略平面図である。
【図６】時計の文字盤の概略平面図である。
【図７】文字盤作成用治具を文字盤印刷機のＡＳＦ部にセットした状態を示す概略断面図である。
【図８】文字盤作成用治具が、ＡＳＦ部のローラにより文字盤印刷機本体の内部に導かれた状態を示す概略断面図である。
【図９】文字盤作成治具が搬送ローラ及び送り押さえローラによってさらに引き込まれ、印刷開始位置に達した状態を示す概略断面図である。
【図１０】文字盤作成治具が排出ローラ等により、排出方向に移動させられた状態を示す概略断面図である。
【図１１】本実施の形態に係る文字盤作成用治具の組み立て治具を示す概略斜視図である。
【図１２】従来のプリンタ装置を示す概略斜視図である。
【符号の説明】
１０      文字盤印刷機
１１      文字盤印刷機本体
１２      ＡＳＦ（オートシートフィーダ）部
１３      搬送モータピニオン
１４      後部プラテン
１４ａ    前部プラテン
１５      送り押えローラ
１６      搬送ローラ
１７      駆動ギヤ
１８      ギザローラ
１８ａ    排出ローラ
１９      プリンタヘッド
２０      文字盤作成用治具
２１      パレット
２１ａ    ワーク載置部
２１ｂ    インク溜まり部
２１ｃ    ピン用の穴部
２１ｄ    脱着用凹部
２２      フィルム
２２ａ    切り欠き
２３      ワーク固定部
２３ａ    突起部
２３ｂ    凹部
２４      固定用側縁
３０      時計の文字盤
３１      凹凸部
３２      文字盤本体
３３      溝
３４      枠部
３５      穴部
４０      文字盤作成用治具の組み立て治具
【図１】
0003687426.tif 000002
【図２】
0003687426.tif 000003
【図３】
0003687426.tif 000004
【図４】
0003687426.tif 000005
【図５】
0003687426.tif 000006
【図６】
0003687426.tif 000007
【図７】
0003687426.tif 000008
【図８】
0003687426.tif 000009
【図９】
0003687426.tif 000010
【図１０】
0003687426.tif 000011
【図１１】
0003687426.tif 000012
【図１２】
0003687426.tif 000013